【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
ディスクを搭載するターンテーブル部が一体に形成されたロータフレーム、前記ロータフレームの軸方向上側に取り付けられてディスクを芯出し支持し樹脂材料で形成されたディスク調芯部材、前記ロータフレームに取り付けられたロータマグネット、及び前記ロータフレームの中央に固定されたシャフトを有するロータ部と、
前記シャフトを支承する軸受、この軸受を保持するメタルハウジング、前記ロータマグネットと対向して配置され巻線が施されたコア、及び前記メタルハウジングを保持するブラケットを備えるステータ部とからなるディスク回転用モータにおいて、
前記ロータフレームの内側開口部の中央に前記軸受を収納する凹部が形成され、この凹部内には複数箇所の係合部が前記ロータフレームから一体に径方向内側に突出して形成されており、
前記凹部内には、前記係合部に対して軸方向上側に位置するように前記ディスク調芯部材と一体に形成され、径方向に弾性変形可能な複数の爪部が設けられており、
前記メタルハウジングの軸方向上部には、前記係合部及び前記爪部が係合する被係合部が、前記メタルハウジングと一体的に、径方向外側に向かって形成されていることを特徴とするディスク回転用モータ。
【請求項２】
前記ロータフレームの係合部に内接する円の直径寸法は、前記メタルハウジングの被係合部の外形寸法より小さく設定されており、
前記被係合部には、前記ロータフレームの係合部と同数の切欠部が形成されており、
前記係合部を含み軸に直交する平面への前記切欠部の射影の範囲内に前記係合部が収まるように構成されており、
前記係合部が前記切欠部を軸方向に通過可能に形成されている、請求項１に記載のディスク回転用モータ。
【請求項３】
前記爪部は、前記係合部と前記切欠部との軸方向の隙間に位置し、
前記爪部は、前記係合部が前記切欠部の射影の範囲に収まった状態において、前記切欠部の射影と前記係合部との周方向の隙間の一部又は全部を覆う、請求項２に記載のディスク回転用モータ。
【請求項４】
前記ロータ部の天面のうち前記爪部に対応する位置には、貫通穴部が形成されていることを特徴とする請求項１から３のいずれか１項に記載のディスク回転用モータ。
【請求項５】
前記被係合部は、前記メタルハウジングの軸方向上側端面に形成されている、請求項１から４のいずれか１項に記載のディスク回転用モータ。
【手続補正２】
【補正対象書類名】明細書
【補正対象項目名】００１４
【補正方法】変更
【補正の内容】
【００１４】
上記課題を解決するために本発明は、ディスクを搭載するターンテーブル部が一体に形成されたロータフレーム、前記ロータフレームの軸方向上側に取り付けられてディスクを芯出し支持し樹脂材料で形成されたディスク調芯部材、前記ロータフレームに取り付けられたロータマグネット、及び前記ロータフレームの中央に固定されたシャフトを有するロータ部と、前記シャフトを支承する軸受、この軸受を保持するメタルハウジング、前記ロータマグネットと対向して配置され巻線が施されたコア、及び前記メタルハウジングを保持するブラケットを備えるステータ部とからなるディスク回転用モータにおいて、前記ロータフレームの内側開口部の中央に前記軸受を収納する凹部が形成され、この凹部内には複数箇所の係合部が前記ロータフレームから一体に径方向内側に突出して形成されており、前記凹部内には、前記係合部に対して軸方向上側に位置するように前記ディスク調芯部材と一体に形成され、径方向に弾性変形可能な複数の爪部が設けられており、前記メタルハウジングの軸方向上部には、前記係合部及び前記爪部が係合する被係合部が、前記メタルハウジングと一体的に、径方向外側に向かって形成されていることを特徴とする。
好ましくは、ディスクを搭載するターンテーブル部が一体に形成されたロータフレームとディスクを芯出し支持し樹脂材料で形成されたディスク調芯部材と前記ロータフレームに取り付けられたロータマグネットと前記ロータフレームの中央に固定されたシャフトとを有するロータ部と、前記シャフトを支承する軸受とこの軸受を保持するメタルハウジングと前記ロータマグネットと対向して配置され巻線が施されたコアと前記メタルハウジングを保持するブラケットとを備えるステ−タ部とからなるディスク回転用モータにおいて、前記ロータフレームの内側開口部の中央に前記軸受を収納する凹部が形成され、この凹部内には複数箇所の係合部が前記ロータフレームから一体に径方向内側に突出して形成され、前記ディスク調芯部材の前記係合部に対応する位置には、径方向に弾性変形可能な複数の爪部が前記ディスク調芯部材と一体に形成され、さらに、前記メタルハウジングの軸方向上側端面には、前記ロータフレームの係合部と同数の切欠部を形成した被係合部が径方向外側に向かって一体的に形成され、前記ロータフレームの係合部に内接する円の直径寸法は前記メタルハウジングの被係合部の外形寸法より小さく設定され、前記係合部を含み軸に直行する平面への前記切欠部の射影の範囲内に前記係合部が収まるように構成して、前記係合部が前記切欠部を軸方向に通過可能に形成し、前記ロータ部を前記ステ−タ部に組込む前の状態では、前記係合部の軸方向の上側に前記爪部が位置し、前記ロータ部を前記ステ−タ部に組込む途中の状態では、前記被係合部の切欠部が挿入方向と逆側に通過可能となるように前記爪部が径方向外側に弾性変形し、前記ロータ部を前記ステ−タ部に組込んだ状態では、前記爪部は弾性力により前記ロータ部を前記ステ−タ部に組込む前の状態の径方向の位置に復帰し、前記係合部と前記切欠部との軸方向の間に前記爪部が位置するように構成して前記係合部が前記切欠部の射影の範囲に収まった状態における前記係合部と前記切欠部の射影の周方向の隙間を、前記爪部で覆う構成にして、係合部が切欠部の射影の範囲に収まっても、係合部と切欠部の射影の隙間を弾性部材で塞いでロータ部が容易に抜けない構造にするとともに、前記ディスク調芯部材及び前記ロータフレームの天面の前記爪部に対応する位置に貫通穴部を形成したものである。
【手続補正３】
【補正対象書類名】明細書
【補正対象項目名】００１５
【補正方法】変更
【補正の内容】
【００１５】
本発明によれば、ロータ部とステ−タ部にそれぞれ形成された抜け止めの係合部、被係合部は、ロータフレームのターンテーブル部、およびメタルハウジングに一体に成形されているため、コスト面で有利になることに加え、一体であるため剛性も高く、耐久性にも優れている。また、ロータフレーム中央の凹形状内に抜け止め構造を構成するため薄型化に有利である。
【手続補正４】
【補正対象書類名】明細書
【補正対象項目名】００２６
【補正方法】変更
【補正の内容】
【００２６】
また、本実施の形態においては、図７（ａ）から（ｃ）に示すように、係合部１４を含み軸に直行する平面への被係合部１７の切欠部１６の射影の範囲内に係合部１４が収まる状態に保ち、ロータフレーム２及びディスク調芯部材３の爪部１５に対応する位置に形成された貫通穴部１８を介して、モータ外部から治具１９を挿入して爪部１５を径方向外側に押し広げて、爪部１５の蓋部１５ａを切欠部１６の径方向外側に移動させることにより、容易にロータ部６をステ−タ部１２から取り外すことが出来る。
ロータ部とステ−タ部にそれぞれ形成された抜け止めの係合部、被係合部は、ロータフレームのターンテーブル部、およびメタルハウジングにプレス加工によって一体に成形されているため、コスト面で有利になることに加え、一体であるため剛性も高く、耐久性にも優れている。また、ロータフレーム中央の凹形状内に抜け止め構造を構成するため薄型化に有利であることに加え、ロータ部の組込は係合部と被係合部の切欠部との周方向の位相合わせと、樹脂製のディスク調芯部に一体成型された爪部の弾性変形によるため、抜け止め構造に対するストレスも小さく、信頼性の高いモータを構成できる。また、爪部は抜け止めとしての剛性を必要とせず、係合部が被係合部の切欠部の中に収まった場合に、両者の周方向隙間を埋めるだけの機能があればよいため、特殊な材料を必要とせず、ディスク調芯部に容易に一体成型できるので、非常に安価に抜け止め構造を構成することが可能となる。そして、ディスク調芯部材及びロータフレームの天面の爪部に対応する位置に形成した貫通穴部を介して、モータ外部から治具を挿入して爪部を径方向外側に押し広げることにより、容易にロータ部をステ−タ部から取り外すことが可能となる。